(57)【特許請求の範囲】
【請求項１】
乳児保育器内に収容された乳児を横たえるようになった乳児用ベッドの角度位置を調節するための傾斜機構であって、
乳児保育器内の底部に回転可能に設けられて収容された少なくとも１つの曲がりロッドを有し、該曲がりロッドは、保育器の外に延びる１つの自由端と、乳児用ベッドの下方に位置し、かつ前記自由端が回転軸線を中心として回転するとき、前記ベッドを上方又は下方に移動させるようになったオフセット部分とを有し、更に、保育器の外に取付けられ、かつ、保育器に対して固定された回転軸線回りに回転可能であるリードねじと、乳児用ベッドを所望の位置に昇降させるために、前記リードねじの回転を前記曲がりロッドの自由端の対応する回転に変換するためのリンケッジ手段と、前記曲がりロッドの前記自由端及び前記リンケッジ手段に連結されたキーとを有し、前記リンケッジ手段によって変換された回転によって、前記キーが回転されて前記曲がりロッドが回転され、
前記リードねじ、前記リンケッジ手段及び前記キーは、保育器に対してヒンジ留めされたブラケットプレートに取付けられ、該ブラケットプレートを、保育器から外方に回動させることにより、前記キーが前記自由端から引き離されて、それによって、前記曲がりロッドが前記底部から解放され持ち上げられて、前記保育器から除去可能となり、清掃のために前記傾斜機構の部品に近づくことができる傾斜機構。
【請求項２】
乳児保育器内に収容された乳児を横たえるようになった乳児用ベッドの角度位置を調節するための傾斜機構であって、
乳児保育器内の底部に回転可能に設けられて収容された少なくとも１つの曲がりロッドを有し、該曲がりロッドは、保育器の外に延びる１つの自由端と、乳児用ベッドの下方に位置し、かつ前記自由端が回転軸線を中心として回転するとき、前記ベッドを上方又は下方に移動させるようになったオフセット部分とを有し、更に、保育器の外に取付けられ、かつ、保育器に対して固定された回転軸線回りに使用者によって回転可能であるリードねじと、前記曲がりロッドの回転軸線と一致する回転中心をもち、且つ、前記曲がりロッドの回転軸線から所定距離だけ偏位された連結点をもつレバーアームと、前記曲がりロッドの前記自由端及び前記レバーアームに取付けられたキーと、一端が前記連結点で前記レバーアームに取付けられ、かつ、他端がリードねじのねじ山と螺合するねじ山を有するリンケッジとを有し、該リンケッジの前記ねじ山付き端部は回転運動が規制され、前記リードねじは、使用者によって回転されて、前記リンケッジが前記リードねじの回転軸線に沿って移動し、それにより、前記レバーアームが回転し、その回転が前記キーを介して前記曲がりロッドを回転させ、乳幼児ベッドが所望の位置に昇降され、
前記リードねじ、前記リンケッジ、前記レバーアーム及び前記キーは、保育器に対してヒンジ留めされたブラケットプレートに取付けられ、該ブラケットプレートを、保育器から外方に回動させることにより、前記キーが前記自由端から引き離されて、それによって、前記曲がりロッドが前記底部から解放され持ち上げられて、前記保育器から除去可能となり、清掃のために前記傾斜機構の部品に近づくことができる傾斜機構。
【請求項３】
乳児保育器内に収容された乳児を横たえる-ようになった乳児用ベッドの角度位置を調節するための傾斜機構であって、
乳児保育器内の底部に回転可能に設けられて収容された少なくとも１つの曲がりロッドを有し、該曲がりロッドは、保育器の外に延びる１つの自由端と、乳児用ベッドの下方に位置し、かつ前記自由端が回転軸線を中心として回転するとき、前記ベッドを上方又は下方に移動させるようになったオフセット部分とを有し、更に、保育器の外に取付けられ、かつ、保育器に対して固定された回転軸線回りに回転可能であるリードねじと、乳児用ベッドを所望の位置に昇降させるために、前記リードねじの回転を前記曲がりロッドの自由端の対応する回転に変換するためのリンケッジ手段と、前記曲がりロッドの前記自由端及び前記リンケッジ手段に連結されたキーとを有し、前記リンケッジ手段によって変換された回転によって、前記キーが回転されて前記曲がりロッドが回転され、
更に、前記リードねじ、前記リンケッジ手段及び前記キーを収容するカバーを有し、該カバー、前記リードねじ、前記リンケッジ手段及び前記キーは、保育器に対してヒンジ留めされたブラケットプレートに取付けられ、該ブラケットプレートを、保育器から外方に回動させることにより、前記キーが前記自由端から引-き離されて、それによって、前記曲がりロッドが前記底部から解放され持ち上げられて、前記保育器から除去可能となり、清掃のために前記傾斜機構の部品に近づくことができる傾斜機構。
【請求項４】
乳児保育器内に収容された乳児を横たえるようになった乳児用ベッドの角度位置を調節するための傾斜機構であって、
乳児用ベッドの下方に位置し、かつ保育器の内部に回動可能に取付けられた、乳児用ベッドを昇降させるための少なくとも１つのベッドリフタと、乳児保育器内の底部に回転可能に設けられて収容された少なくとも１つの曲がりロッドとを有し、該曲がりロッドは、保育器の外に延びる１つの自由端と、乳児用ベッドの下方に位置し、かつ前記自由端が回転軸線を中心として回転するとき前記ベッドリフタを回転させるように、前記ベッドリフタと係合したオフセット部分とを有し、更に、保育器の外に取付けられ、かつ、保育器に対して固定された回転軸線回りに回転可能であるリードねじと、前記リードねじの回転を前記曲がりロッドの前記自由端の回転に変換するようになったリンケッジ手段と、前記曲がりロッドの前記自由端及び前記リンケッジ手段に連結されたキーとを有し、前記リンケッジ手段によって変換された回転によって、前記キーが回転されて前記曲がりロッドが回転され、それによって、前記ベッドリフタが回転して乳児用ベッドが所望の位置に昇降され、
前記リードねじ、前記リンケッジ手段及び前記キーは、保育器に対してヒンジ留めされたブラケットプレートに取付けられ、該ブラケットプレートを、保育器から外方に回動させることにより、前記キーが前記自由端から引き離されて、それによって、前記曲がりロッドが前記底部から解放され持ち上げられて、前記保育器から除去可能となり、清掃のために前記傾斜機構の部品に近づくことができる傾斜機構。
【請求項５】
前記少なくとも１つの曲がりロッドの前記回転軸線と前記リードねじは、互いに約９０度の角度をなして位置決めされていること、を特徴とする請求項１〜４のいずれか１項に記載の傾斜機構。
【請求項６】
前記少なくとも１つのベッドリフタは、複数の細長い溝孔を有し、前記少なくとも１つの曲がりロッドの前記オフセット部分は、前記溝孔を貫通していること、を特徴とする請求項４に記載の傾斜機構。
【発明の詳細な説明】
【０００１】
【産業上の利用分野】
本発明は乳児保育器に関し、より詳細には、幼児保育器内に位置決めされた乳児用ベッドの傾斜角度を設定し、また調節する手段に関する。
【０００２】
【従来技術及び発明が解決しようとする課題】
乳児保育器には、乳児用ベッドの傾斜角度を装置内で調節する様々な方法がある。傾斜機構は、介添人が傾斜角度の調節を行うためにドア又はポートホール(porthole)を開けずに済むように、乳児保育器の外から操作できるのが好ましい。
更に、傾斜角度は、乳児の頭又は足を上げたり下げたりする双方で、現在の２つ又は３つの状態に制限されずに広範囲な位置にわたって継続的に又は無限に変化させて動かせるのが有利である。
更なる特徴として、傾斜機能は自己支持型であるべきであり、すなわち、一旦、高さが選択されたら、使用者は単に制御部をはなし、選択された位置で、自動的に安定するのが望ましい。
また、傾斜角度の変更は、傾斜角度を変えるのに、乳児の邪魔をしたり、びっくりさせたりしないように、不意に動かしたりしないで、比較的スムースでかつ、ゆるやかな動きでなければならない。
現在の傾斜機構は、米国特許第４，７３４，９４５号に例示されており、一対のセレクターハンドルで、乳児の位置を昇降させる一対の曲がりロッドを回転させる。しかし、上記のように、選択できる位置は、いくつかの決められた位置だけに限定され、オペレータは、製造者が設定した位置の中間のどんな位置ででも、乳児を設置することができるわけではない。
【０００３】
他の型式の乳児傾斜機構が、米国特許第４，８８５，９１８号に記述されており、乳児の傾斜角度を変化させるのにシーサス式(scissors type) の配置を、利用されている。シーサス式では、オペレータが乳児のために選択する様々な位置にすることができるが、シーサス用アクチュエータの回転部が、保育器の正面に直接延びているため、使用者が容易に作動させることができるようにハンドルを大きくすることができない。すなわち、使用者によって確り握られるノブは、前方ドアを開けるのに妨げにならず、また、使用者にとって傾斜させるのに不都合にならないように大変小さくなければならない。
上記米国特許のシーサス機構についての更なる難点は、シーサスを操作するのに、乳児室内に位置決めされた比較的細かいねじ山を有する機構にある。細かいねじ山は、乳児用ベッドを一方の末端位置から他方の末端位置に移動させるため、ハンドル（１８−２０）をかなり回転させる必要があるだけでなく、機構及び細かいねじ山は頻繁に汚染され、また清掃するのが大変困難である。かくして、機構は頻繁に清掃されなければならないが、その清掃は医療スタッフにとって負担になり、また不都合である。
【０００４】
【課題を解決するための手段】
ここに、従来の課題を解決する傾斜機構を説明する。傾斜機構は、完全に上昇され、また完全に下降された位置の間で無限に変化させることができる機構を有し、更に、オペレータが所望の傾斜角度を選択したとき、機構は、その所望の位置を保持するための戻り止め又は他の手段をレリース(release) する必要なく、乳児を自動的にその角度に維持する。
本発明の傾斜機構において、回転軸線を有する複数の曲がりロッドが、乳児用ベッドの下方に横たわり、また、保育器に固定され、かつ軸線を中心に回転可能になっている。オペレータは、曲がりロッドを回転させることによって、乳児用ベッドの一端又は他端を、望み通りに横にしたり上昇させたりすることができる。また、ベッドリフタが使用され、ベッドリフタは曲がりロッドの回転運動によって移動される。
回転軸線を中心とした曲がりロッドの回転は、保育器の外で、曲がりロッドの端部に取付けられているレバーアームによって達成される。レバーアームは、リンケージによってリードねじ(lead screw)に連結され、リードねじは、乳児保育器に回動可能に取付けられ、また、使用者の大きなハンドノブの操作によって回転されるとき、リンケージを横方向に移動させる。その横方向移動は、レバーアームを介して曲がりロッドの回転運動に変換され、かくして、リードねじを回転させることによって、乳児用ベッドを容易に上昇させたり、横にしたりすることができる。
【０００５】
リードねじは、保育器の側部に位置決めされ、前方ドアの操作を妨げたり、乳児に近づくのを何らかの方法で妨げることのない大きなハンドノブを有する。ハンドノブを回転させる際、回転運動は、リンケッジによってハンドノブの回転軸線から９０度変位した回転軸線を有する曲がりロッドの回転運動に変換される。
リードねじのピッチを選択すれば、乳児用ベッドを末端位置の間で移動させるための回転数が容易に決定され、また、上記のシーサス機構を操作するのに必要とされる回転よりも、容易に少ない回転数にすることができ、従って、使用者にとって都合がよい。更に、リードねじ及び傾斜装置を操作する、ほぼすべての部品は、乳児室の外に位置し、かくして汚染されない。しかし、機構全体を都合よくかつ容易な方法で清掃するために、容易に分解することができるようになっている。
好ましくは、本発明に従って構成された傾斜機構は、保育器の両端に位置決めされ、従って、乳児用ベッドの両側を昇降させるのに、鏡対称の同様な機構を使用することができる。
【０００６】
【発明の実施の形態】
本発明を、添付の図面に例示として概略的に示す。
図１は、本発明の傾斜機構を取り入れた保育器１０の斜視図である。乳児保育器１０の一部は削除されているが、保育器自体は、出願人コッチ他(Koch et al)による米国特許第４，９３６，８２４号に詳細に示され、また説明されており、また該特許公報の説明が本明細書にも含まれている。
基本的に、図１に示す保育器１０は構造プラスチック材料で作られ、また保育器を機能させるために必要な装置及び制御部を有する底部１２を備える。フード１４は、保育器１０の底部１２の上に設置されており、介添人が保育器１０内に収容された乳児を容易に見ることができるように、全体が透明材料で構成されている。また、上記の米国特許第４，９３６，８２４号に示されているように、フード１４は一般的に、前方ドアや、乳児に近づくための手挿入孔等を有する。
保育器１０内には、透明フード１４の下に位置し、底部１２に支持された乳児用ベッド１６が位置決めされている。乳児用ベッド１６は乳児を支持するために使用され、乳児を横たえるためのマットレスを有する。上記のように、乳児用ベッド１６は図１に部分的に切り欠かれて示され、傾斜機構の機能部分がより容易に見えるようになっている。
【０００７】
上述のように、乳児用ベッド１６を、介添人の所望の様々な角度に傾斜させるることができることが、保育器１０の操作において重要である。ある応用では、時々、乳児の頭の高さを上昇させることが望ましく、また他の場合には、乳児の足を上昇させることが望ましい。本明細書で説明しているように、傾斜機構は１つだけ示されているが、通常、傾斜機構は、乳児用ベッド１６の両端に設けられ、一方は他方の鏡対称であり、従って、傾斜機構の一方だけの説明で十分であるのが明らかであろう。
凹部領域１８が底部１２に形成され、また、凹部領域１８は、乳児用ベッド１６を底部１２の上面と面一の位置に移動させることができ、また、部品が、乳児用ベッド１６の下方で凹部領域１８内に収容されるように、種々の傾斜機構の部品を受け入れるのが分かるであろう。
ベッドリフタ２０は、凹部領域１８内で底部１２に回動可能に取付けられ、そこに形成されている一対の枢支点２２を中心に回動可能である。枢支点２２の詳細は、保育器１０の傾斜機構の組立及び分解の詳細と関連して下記に説明する。ベッドリフタ２０は、乳児用ベッド１６を底部１２に対して昇降させるとき、乳児用ベッド１６を支持するように位置決めされた他方の自由端２４を有し、また乳児用ベッド１６に係合しているところが示されている。
【０００８】
従って、ベッドリフタ２０が枢支点２２を中心に回転されるとき、自由端２４によって、乳児用ベッド１６が、ベッドリフタ２０の回転方向にしたがって昇降される。ベッドリフタ２０は、また、一対の細長い溝孔２６（図１には１つだけ示している）を有し、その目的は明らかであろう。
曲がりロッド２８は、乳児用ベッド１６の下方に位置決し、上方、場合によっては乳児用ベッド１６に向かって延びるオフセット部分３０を有する。曲がりロッド２８は、また、底部１２に回動可能に設けられ、枢支点３２（図１には１つだけ示している）を中心に回転可能であり、共に、曲がりロッド２８の回転軸線を形成する。曲がりロッド２８は、曲がりロッド２８が昇降されるとき、ベッドリフタ２０が昇降されるように、ベッドリフタ２０の細長い溝孔２６のそれぞれを貫通している。
図１と関連させて図２を見ると、本発明によって構成された傾斜機構を更に詳細に示す部分断面斜視図が示されている。図２では、曲がりロッド２８の回転移動が、ベッドリフタ２０を矢印Ａの方向に移動させるのが分かる。
曲がりロッド２８の一端は、保育器１０の外に延び、インターフェースすなわちキー３４に連結されている。曲がりロッド２８の外端をキー３４に連結する手段は、傾斜機構の分解及び組み立て手段と関連して、更に下記で説明する。
【０００９】
曲がりロッド２８の外端は、操作中、キー３４に取付けられており、曲がりロッド２８の回転運動は直接キー３４に伝達され、また、その逆である。キー３４の外端は角形端部３６であるが、様々なキーの配置をキー３４のレバーアーム３８への連結に使用してもよい。レバーアーム３８の同様な形状の孔４０が、レバーアーム３８及びキー３４を共に回転させる。
他方、リンク４２はレバーアーム３８に連結点４４で連結され、連結点４４は、曲がりロッドの回転軸線から所定距離だけ変位されている。すなわち、キー３４の回転中心が、曲がりロッド２８の回転軸線と同軸であるので、それにより、連結点４４は、キー３４及びレバーアーム３８の回転軸線から所定距離だけ変位されていることになる。
リードねじスライド４６は、連結点４８でリンク４２の他端に取付けられている。リードねじスライド４６は、公知のピッチと寸法の雌ねじを有し、カバー５２内に形成されたリードねじスライド軸受５０に沿って摺動する。リードねじスライド軸受５０によって、リードねじスライド４６は、保育器１０に対して横方向に移動することができるが、リードねじスライド４６の回転運動を規制する。リードねじスライド４６及び勿論リンク４２の横方向移動は、矢印Ｂで示されている。
【００１０】
リードねじスライド４６は、リードねじスライド４６内の雌ねじと一致し、かつ螺合する雄ねじを有するリードねじ５４に螺合している。リードねじ５４は、リードねじ軸受５６内に保持され、かくして、回転が許容されるが、横方向の移動は規制される。使用者が都合よく握るための比較的大きな寸法のハンドノブ５８が、リードねじ５４の自由端に位置決めされ、ハンドノブ５８は、リードねじ５４が矢印Ｃの方向に回転するように作動する。
ハンドノブ５８は、好ましくは、弾性材料で作られており、使用者によって過剰なトルクがハンドノブ５８に与えられるとき、ハンドノブ５８がスリップクラッチのようにリードねじ５４に対して回転するように、リードねじ５４の端部に押し嵌められている。クラッチ作用は内部組立体への力を制限し、部品に与えられる過剰な力によって引き起こされる損傷の可能性を最小限に止める。ハンドノブ５８には剛性リング５９が取付けられ、剛性リング５９は、作動環境で使用されるチューブ又はワイヤが絡んでしまうのを防止するのを目的として、カバー５２のより小さな直径の同心リング６１（図３参照）に重なっている。
従って、今、傾斜機構の全体の操作を説明する。乳児用ベッド１６の傾斜角度を変えるのに、オペレータは単にハンドノブ５８を掴んで、矢印Ｃの一方向に回転させ、それによりリードねじ５４をも回転させる。リードねじ５４が回転され、リードねじスライド４６との係合で、リードねじスライド４６がリードねじスライド軸受５０に沿って横方向に移動し、かくして、リンク４２も矢印Ｂの方向に横方向に移動する。かくして、リンク４２の横方向の移動で、キー３４は、レバーアーム３８のオフセット距離だけ、矢印Ｄの方向に回転する。
【００１１】
かくして、ハンドノブ５８の回転運動は横方向運動に変換され、次いで、再び、ハンドノブ５８の回転軸線に対して９０度の角度をなした回転軸線を中心としたキー３４の回転運動に変換される。
傾斜機構の操作を継続し、従って、キー３４が回転するとき、曲がりロッド２８との連結部は、曲がりロッド２８を回転軸線に沿って回転させる。曲がりロッド２８は、ベッドリフタ２０の細長い溝孔２６内に嵌められているので、ベッドリフタ２０が回転し、かくして、乳児用ベッド１６を、勿論ハンドノブ５８の回転方向によって上げたり下げたりする。
ハンドノブ５８の回転運動を最終的に、乳児用ベッド１６に伝達する様々な機構により、特に、リードねじ５４を設けることにより、オペレータがハンドノブ５８の回転を停止するとき、乳児用ベッド１６は選択された位置のままになる。かくして、オペレータは、乳児用ベッド１６を極限内での所望の位置に移動させることができ、ベッドを、これらの限界内で無限に調整可能であり、また、更なる係止手段なしで選択された位置に維持することができる。
かくして、傾斜機構は、オペレータがハンドノブ５８を心地よく握り、また、操縦するのに都合のよい大きなハンドノブ５８の使用を許容し、それでも、ハンドノブ５８は保育器１０の側部に位置決めされており、従って、前方ドアの操作及び乳児に近づく妨げとならない位置にある。更に、部品のほとんどは、乳児室の外に位置し、従って、汚染することはない。
【００１２】
本発明の更なる点として、傾斜機構は、介添人が部品を清掃できるように、容易に分解したり、組み立てたりすることができるように設計されている。
図３及び図４について説明すると、本発明の傾斜機構の分解図が示されており、分解及び組み立てを許容するいくつかの特徴が示されている。
図３に示すように、傾斜機構は基本的に、図示しない従来の手段によって、保育器１０の側部に取付けられた取付けブラケット６０によって、保育器１０の底部１２に取付けられている。取付けブラケット６０は、ヒンジ６４によってブラケットプレート６２に嵌まっている。図示しているように、ヒンジ６４は、２つの部品が互いにヒンジ留めされるように、取付けブラケット６０のピン６８を部分的に取り囲むブラケットプレート６２から延びる湾曲タブ６６を備える。しかし、様々な形式のヒンジが、取付けブラケット６０とブラケットプレート６２との間のヒンジ機構を形成するように使用されていてもよく、ブラケットプレート６２が、図４の矢印Ｅによって示されているように、保育器１０の底部１２から外方に揺動可能であれば十分である。
ブラケットプレート６２は、ねじのような従来の手段によってカバー５２に固定され、カバー５２及びブラケットプレート６２は、保育器１０から遠ざかって揺動し、また、キー３４から始まりハンドノブ５８に至るまでの傾斜機構のこれらの部品を有する小型傾斜機構組立体７２を基本的に備える。
【００１３】
傾斜機構組立体７２は、ブラケットプレート６２にピンによって枢着されたラッチ７４によって操作されるとき、外方への揺動が阻止される。そのラッチ７４は、底部１２に形成された外壁８０の下で係止する係止面７８によって保育器１０の底部１２と相互作用する。外壁８０は、ラッチ７４が操作位置に回転するとき、ラッチ面７８と合致する内面を有する。図１及び図２を見て分かるように、傾斜機構組立体７２が操作位置に位置しているとき、ラッチ７４は、傾斜機構組立体７２を保育器１０に固定する。
ラッチ７４は、また、傾斜機構組立体７２の係合を外すために、使用者がラッチ７４を外すのを容易にするためのタブ８８を有する。
本発明の傾斜機構の部品の取外しを容易にする更なる特徴は、一般的には９０度の角度で形成され、キー３４の内面に形成された溝９２内に嵌まるように寸法決めされた曲がりロッド２８の外端９０の間を連結する手段を有する。この手段によって、曲がりロッド２８とキー３４は、傾斜機構組立体７２が操作位置にあるとき、回転運動をするために互いに係止されるが、２つの部品は、ラッチ７４が上方に回動され、傾斜機構組立体７２が図４に示すように外方に回動するとき、容易に引き離される。
【００１４】
図４には、特に、ベッドリフタ２０の枢支点２２の詳細が示されており、それは、傾斜機構の分解及び組み立てに貢献する。枢支点２２は、底部１２のフランジ９４に形成され、ベッドリフタ２０の回転軸線に沿って全体的に長方形の端部１００を受入れ、また保持する長方形入口開口部９６と円形開口部９８とを形成する。このはめ込みによって、図４の矢印Ｆによって示された垂直位置にある間に挿入されることによって、ベッドリフタ２０は、底部１２に対して組み立てられたり、分解されたりする。垂直位置では、長方形端部１００が長方形入口開口部９６を通して嵌まるので、ベッドリフタ２０の長方形端部１００は、フランジ９４内の円形開口部９８に嵌め込まれる。
しかし、一旦、長方形端部１００が円形開口部９８内になると、ベッドリフタ２０が垂直位置から遠ざかる位置に回転されるとすぐに、円形開口部内で係止される。従って、ベッドリフタ２０が底部１２に対して自由に回転自在である一方で、図４に示す垂直位置にあるときに取り外し又は取替えることができるにすぎない。
従って、オペレータがラッチ７４を持ち上げて、傾斜機構組立体７２を底部１２から分解して、分解工程が行なわれる。。オペレータは、次いで、図４の矢印Ｅによって示されているように、傾斜機構組立体７２を外方に揺動することができる。これで、曲がりロッド２８を、底部１２の外へ持ち上げることができ、他方、ベッドリフタ２０を図４の矢印Ｇで示す垂直位置に回転することができる。この時点で、ベッドリフタ２０及び曲がりロッド２８は底部１２から解放されて持ち上げられ、保育器１０から除去される。かくして、オペレータは、清掃のために、傾斜機構のすべての部品に容易に近づくことができる。
勿論、再組み立ては、上記の分解工程の単に逆を行うことによって容易に達成することができる。かくして、傾斜機構を清掃のために容易に分解し、また、容易に再組立てすることができる。
【００１５】
本発明の特定の実施例について説明したが、開示された傾斜機構は、当業者によって他の構成に変更することができることが分かるであろう。従って、本発明は、特許請求の範囲の技術的範囲及び技術思想によってのみ広く解釈され、また限定されなければならない。
【００１６】
【発明の効果】
本発明によれば、乳児用ベッドの傾斜角度を完全に上昇させ、また完全に下降させた位置の間で無限に変化させることができる機構を有し、更に、オペレータが所望の傾斜角度を選択したとき、機構が、その所望の位置を保持するための戻り止め又は他の手段をレリースする必要なく、乳児をその角度で自動的に維持する乳児保育器傾斜機構を提供することができる。
【図面の簡単な説明】
【図１】図１は、本発明に従って構成された傾斜機構を有する保育器の斜視図である。
【図２】図２は、図１の実施例の傾斜機構の詳細を示す部分断面斜視図である。
【図３】図３は、本発明の傾斜機構の構成を詳細に更に示す斜視図である。
【図４】図４は、本発明の詳細を更に示す分解斜視図である。
【符号の説明】
１０  保育器
１２  底部
１６  乳児用ベッド
２０  ベッドリフタ
２８  曲がりロッド
３０  オフセット部分
３４  キー
３８  レバーアーム
４６  リードねじスライド
５０  リードねじスライド軸受
５８  ハンドノブ
６０  取付けブラケット
【図１】
0003718547.tif 000002
【図２】
0003718547.tif 000003
【図３】
0003718547.tif 000004
【図４】
0003718547.tif 000005